(57)【要約】【課題】  調圧機能付き止水栓装置、及び、それを備えた水栓装置及び湯水混合水栓装置を提供する。【解決手段】  本発明の水栓装置１の調圧機能付き止水栓装置２は、流入口３４ｂが形成された止水栓装置本体２０と、この止水栓装置本体内に螺合された第１スピンドル４６と、この第１スピンドルが回転されると、流入口３４ｂを開閉する止水弁３８と、を備えた止水弁ユニット２ａと、この止水弁ユニットの下流側に配置され、流出する水の圧力を調整する調圧弁４２と、第１スピンドルの下流側端部４６ｂと係合可能な係合端が上流側端部４８ａに形成された第２スピンドル４８と、この第２スピンドルを回転操作することにより第１スピンドルを回転させるキー溝４８ｃと、を備え、止水栓装置本体に組み込まれた調圧弁ユニット２ｂと、を有し、調圧弁ユニットは、止水弁が流入口を閉鎖したままの状態で水側脚部材２０から取り外し可能であることを特徴としている。【選択図】      図３
2006226497.tif 000002
【特許請求の範囲】
【請求項１】
通水路を止水状態又は通水状態に切り替え、流出する水の圧力を調整する調圧機能付き止水栓装置であって、
流入口が形成された止水栓装置本体と、
この止水栓装置本体内に螺合された第１回転軸部材と、この第１回転軸部材に取り付けられ、上記第１回転軸部材が回転されると、軸方向に移動され、上記流入口を開閉する弁部材と、を備えた止水弁ユニットと、
上記止水栓装置本体内の上記止水弁ユニットの下流側に配置され、流出する水の圧力を調整する調圧弁と、上記第１回転軸部材と同軸に上記調圧弁を貫いて延び、かつその一方の端に上記第１回転軸部材の端部と係合可能な係合端が形成された第２回転軸部材と、この第２回転軸部材の他方の端に形成され、回転操作することにより上記第１回転軸部材を回転させる操作部と、を備え、上記止水栓装置本体に組み込まれた調圧弁ユニットと、
を有し、上記調圧弁ユニットは、上記弁部材が上記流入口を閉鎖したままの状態で上記止水栓装置本体から取り外し可能であることを特徴とする調圧機能付き止水栓装置。
【請求項２】
上記調圧弁ユニットには、通水をろ過するストレーナが設けられている請求項１記載の調圧機能付き止水栓装置。
【請求項３】
上記第１回転軸部材の端部は、上記第２回転軸部材の上記係合端を受け入れる嵌合凹部を備えている請求項１又は２に記載の調圧機能付き止水栓装置。
【請求項４】
上記調圧弁ユニットは、上記止水栓装置本体に螺合されることによって組み込まれ、上記嵌合凹部は、上記第１回転軸部材の軸方向に延びるように間隔を置いて形成された２つの突出部を備え、これら２つの突出部の各端面は、互いに反対方向に傾斜した傾斜面を形成しており、上記調圧弁ユニットを上記止水栓装置本体に螺合させる際、上記第２回転軸部材は、その係合端が上記傾斜面に沿って摺動しながら、上記突出部の間に受け入れられる向きに自動的に回転される請求項３記載の調圧機能付き止水栓装置。
【請求項５】
請求項１乃至４の何れか１項に記載の調圧機能付き止水栓装置を備えた水栓装置であって、
吐水口が形成された水栓装置本体と、
吐水状態と止水状態に切り替える吐止水切替手段と、
を有し、上記水栓装置本体には、上記調圧機能付き止水栓装置が、上記操作部が操作可能に且つ上記調圧弁ユニットが取り外し可能に組み込まれていることを特徴とする調圧機能付き止水栓装置を備えた水栓装置。
【請求項６】
湯と水を混合して所定温度に調節した湯水を吐水又は止水する、請求項１乃至４の何れか１項に記載の調圧機能付き止水栓装置を備えた湯水混合水栓装置であって、
湯と水が混合される湯水混合水栓装置本体と、
この湯水混合水栓装置本体に設けられた吐水部と、
吐水状態と止水状態に切り替える吐止水切替手段と、
上記湯水混合水栓装置本体の上流側に接続され、湯側通水路を形成する湯側脚部材と、
上記湯水混合水栓装置本体の上流側に接続され、水側通水路を形成する水側脚部材と、
を有し、上記湯側脚部材又は上記水側脚部材には、上記調圧機能付き止水栓装置が、上記操作部が操作可能に且つ上記調圧弁ユニットが取り外し可能に組み込まれていることを特徴とする調圧機能付き止水栓装置を備えた水栓装置。
【発明の詳細な説明】
【技術分野】
【０００１】
本発明は、調圧機能付き止水栓装置、及び、それを備えた水栓装置及び湯水混合水栓装置に係わり、特に、通水路を止水状態又は通水状態に切り替え、流出する水の圧力を調整する調圧機能付き止水栓装置、及び、調圧機能付き止水栓装置を備えた水栓装置、及び、調圧機能付き止水栓装置を備えた湯水混合水栓装置に関する。
【背景技術】
【０００２】
従来から、洗面所、浴室、キッチン等で用いられている水栓装置の一例として、電気温水器等の給湯システムの給湯源から供給される湯を水と混合し、サーモスタット等の温度調節装置によって所定温度に調節した湯水を開閉弁の開閉により吐水状態又は止水状態に切り替える湯水混合水栓装置が知られている。
このような従来の湯水混合水栓装置においては、その上流側に接続されている電気温水器の安全規格上、給水源の水圧に対し所定圧力まで減圧された湯が水栓装置本体に供給されており、湯とは別の経路で水栓装置本体に供給される水側の水圧が湯側の水圧より高くなるため、湯と水を混合する際に、湯側と水側で大きな差圧が生ずる。しかしながら、従来の湯水混合水栓装置では、供給される湯側と水側においてこのような大きな差圧が生じても、これらを調圧する機能を備えていないため、この差圧が原因でサーモスタット等の温度調節装置による湯水の温度調節をうまく追従させることができないという問題がある。
また、従来の湯水混合水栓装置は、その水栓装置本体とその上流側の通水路との間を接続する通水路を含む脚部材を備えているが、この脚部材には、止水栓が組み込まれている。従来から、水栓装置本体に供給される湯水の流量や水圧を調整する際に、この止水栓の開閉具合を調整しているが、このような止水栓の開閉の調整は手作業によって行われおり、流量や水圧を定量的に設定することが難しいため、止水栓の調整不良による水の浪費をまねきやすい。また、止水栓の調整に伴って、流量や水圧に応じた温度調節装置の初期設定も行わなければならないため、面倒な作業となることが問題となっている。
したがって、湯水混合水栓装置に流入する水の圧力を調整する調圧手段を湯水混合水栓装置にいかに組み込むかが従来から課題となっている。
一方、例えば、特許文献１や特許文献２に記載されているように、調圧用の弁体と止水用の弁体を一体的に組み込まれ、調圧機能と止水機能とを兼ね備えた水栓装置が知られている。しかしながら、このような水栓装置においては、調圧用弁体と止水用弁体が一体に組み込まれているため、例えば、調圧用弁体のみについてメンテナンスを行いたい場合にも、止水用弁体を止水させた状態で調圧用弁体のみを取り外すことができず、メンテナンスが不便であるという問題がある。
また、上述した従来の水栓装置において、調圧用弁体のシート部付近には、調圧用弁体のごみ噛み等を防止するために通水をろ過するストレーナが必要に応じて設けられている。このストレーナについては、そこに付着したごみ等を定期的に取り除き、清掃というメンテナンスをしなければならないが、このようなメンテナンスを行う際に、水栓装置のさらに上流側に位置する大元の止水栓によって止水しなればならないため、ストレーナや調圧弁等に関するメンテナンスが面倒な作業となっているという問題がある。
【０００３】
【特許文献１】実公平８−７４５６号公報
【特許文献２】実開平５−２０１０９号公報
【発明の開示】
【発明が解決しようとする課題】
【０００４】
そこで、本発明は、上述した従来技術の問題を解決するためになされたものであり、止水機能を有する止水弁ユニットと調圧機能を有する調圧弁ユニットが水栓脚部および止水栓本体等に係合可能に組み込まれ、止水弁ユニットによって止水しながら調圧弁ユニットのみを取り外してメンテナンスを容易に行うことができる調圧機能付き止水栓装置、及び、それを備えた水栓装置及び湯水混合水栓装置を提供することを目的としている。
【課題を解決するための手段】
【０００５】
上記の目的を達成するために、本発明の第１の発明は、通水路を止水状態又は通水状態に切り替え、流出する水の圧力を調整する調圧機能付き止水栓装置であって、流入口が形成された止水栓装置本体と、この止水栓装置本体内に螺合された第１回転軸部材と、この第１回転軸部材に取り付けられ、上記第１回転軸部材が回転されると、軸方向に移動され、上記流入口を開閉する弁部材と、を備えた止水弁ユニットと、上記止水栓装置本体内の上記止水弁ユニットの下流側に配置され、流出する水の圧力を調整する調圧弁と、上記第１回転軸部材と同軸に上記調圧弁を貫いて延び、かつその一方の端に上記第１回転軸部材の端部と係合可能な係合端が形成された第２回転軸部材と、この第２回転軸部材の他方の端に形成され、回転操作することにより上記第１回転軸部材を回転させる操作部と、を備え、上記止水栓装置本体に組み込まれた調圧弁ユニットと、を有し、上記調圧弁ユニットは、上記弁部材が上記流入口を閉鎖したままの状態で上記止水栓装置本体から取り外し可能であることを特徴としている。
このように構成された本発明においては、止水弁ユニットの弁部材が開放され、止水栓装置本体の流入口から流入した水は、調圧弁ユニットの調圧弁によって所定圧力に調圧される。また、調圧弁ユニットについてメンテナンスする場合には、調圧弁ユニットの第２回転軸部材の操作部を操作して第２回転軸部材を回転させる。これにより、止水弁ユニットの第１回転軸部材が回転すると共にその軸方向に移動して弁部材が流入口を閉鎖した後、調圧弁ユニットのみを止水栓装置本体から取り外す。これにより、止水弁ユニットによって止水しながら調圧弁ユニットについてメンテナンスを容易に行うことができる。
【０００６】
本発明において、調圧弁ユニットには、通水をろ過するストレーナが設けられていることが好ましい。これにより、調圧弁ユニットを取り外すだけで、ストレーナのメンテナンスを容易に行うことができる。
【０００７】
本発明において、第１回転軸部材の端部は、第２回転軸部材の係合端を受け入れる嵌合凹部を備えていることが好ましい。これにより、止水弁ユニットの第１回転軸部材と調圧弁ユニットの第２回転軸部材とを容易に係合させることができる。
【０００８】
本発明において、調圧弁ユニットは、止水栓装置本体に螺合されることによって組み込まれ、嵌合凹部は、第１回転軸部材の軸方向に延びるように間隔を置いて形成された２つの突出部を備え、これら２つの突出部の各端面は、互いに反対方向に傾斜した傾斜面を形成しており、調圧弁ユニットを止水栓装置本体に螺合させる際、第２回転軸部材は、その係合端が傾斜面に沿って摺動しながら、突出部の間に受け入れられる向きに自動的に回転されることが好ましい。これにより、調圧弁ユニットを止水栓装置本体に組み込む際に調圧弁ユニットを止水栓装置本体に螺合させることにより、調圧弁ユニットの第２回転軸部材と止水弁ユニットの第１回転軸部材とを容易に係合させることができる。また、調圧弁ユニットと止水栓装置本体との螺合を解除することにより、調圧弁ユニットのみを止水栓装置本体から容易に取り外すことができる。
【０００９】
本発明の第２の発明は、上記本発明の第１の発明の調圧機能付き止水栓装置を備えた水栓装置であって、吐水口が形成された水栓装置本体と、吐水状態と止水状態に切り替える吐止水切替手段と、を有し、上記水栓装置本体には、上記調圧機能付き止水栓装置が、上記操作部が操作可能に且つ上記調圧弁ユニットが取り外し可能に組み込まれていることを特徴としている。これにより、調圧弁ユニットの操作部を操作するだけで容易に止水弁ユニットに止水させることができ、水栓装置のメンテナンスが容易となる。また、調圧弁ユニットと止水栓装置本体との螺合を解除することにより、調圧弁ユニットのみを止水栓装置本体から容易に取り外すことができ、調圧弁ユニットについてのメンテナンスが容易となる。
【００１０】
本発明の第３の発明は、湯と水を混合して所定温度に調節した湯水を吐水又は止水する、上記本発明の第１の発明の調圧機能付き止水栓装置を備えた湯水混合水栓装置であって、湯と水が混合される湯水混合水栓装置本体と、この湯水混合水栓装置本体に設けられた吐水部と、吐水状態と止水状態に切り替える吐止水切替手段と、上記湯水混合水栓装置本体の上流側に接続され、湯側通水路を形成する湯側脚部材と、上記湯水混合水栓装置本体の上流側に接続され、水側通水路を形成する水側脚部材と、を有し、上記湯側脚部材又は上記水側脚部材には、上記調圧機能付き止水栓装置が、上記操作部が操作可能に且つ上記調圧弁ユニットが取り外し可能に組み込まれていることを特徴としている。これにより、調圧弁ユニットの操作部を操作するだけで容易に止水弁ユニットに止水させることができ、湯水混合水栓装置のメンテナンスが容易となる。また、調圧弁ユニットと止水栓装置本体との螺合を解除することにより、調圧弁ユニットのみを湯側脚部材又は水側脚部材から容易に取り外すことができ、調圧弁ユニットについてのメンテナンスが容易となる。
【発明の効果】
【００１１】
本発明の調圧機能付き止水栓装置、及び、それを備えた水栓装置及び湯水混合水栓装置によれば、止水機能を有する止水弁ユニットと調圧機能を有する調圧弁ユニットが水栓脚部に係合可能に組み込まれ、止水弁ユニットによって止水しながら調圧弁ユニットのみを取り外してメンテナンスを容易に行うことができる。
【発明を実施するための最良の形態】
【００１２】
以下、添付図面を参照して本発明の調圧機能付き止水栓装置、及び、調圧機能付き止水栓装置を備えた水栓装置の実施形態について説明する。
図１は、本発明の第１実施形態による調圧機能付き止水栓装置を備えた水栓装置を示す概略斜視図である。
図１に示すように、本実施形態の調圧機能付き止水栓装置を備えた水栓装置（湯水混合水栓装置）１は、調圧機能付き止水栓装置２（詳細は後述する）と湯水混合水栓装置本体４とを有し、湯水混合水栓装置本体４は、その背面側に突出する湯側流入口６及び水側流入口８、吐水口１０、シャワーホース１２、温度調節装置１４、流量調整機能を備えた吐水口／シャワー切替装置１６を備えている。このような温度調節装置１４を備えた湯水混合水栓装置１は、いわゆる「サーモスタット混合栓」と呼ばれている。
また、湯水混合水栓装置１は、湯水混合水栓装置本体４の湯側流入口６に接続された湯側脚部材１８と、水側流入口８に接続され、かつ調圧機能付き止水栓装置２が取り付けられる本体（以下「調圧機能付き止水栓装置本体」と呼ぶ）を形成する水側脚部材２０とを有する。これら湯側脚部材１８及び水側脚部材２０の上流側は、壁裏側に配管された湯側通水路２２及び水側通水路２４にそれぞれ接続されている。
なお、湯側脚部材１８の構成については、水側脚部材２０の基本構成と同様であるため、説明を省略して水側脚部材２０のみについて具体的に説明する。
【００１３】
図２は、本実施形態の水栓装置１の調圧機能付き止水栓装置２を含む水側脚部材２０を示す正面図であり、図３は、通水非調圧時の調圧機能付き止水栓装置２を含む水側脚部材２０を示すＡ−Ａ側面断面図である。ここで、図３において、通水時の水の流れを矢印で示している。
図２及び図３に示すように、水側脚部材２０は、水側通水路２４に接続される上流側接続口２６と、湯水混合水栓装置本体４の水側流入口８に接続される下流側接続口２８とを備え、水側脚部材２０の内部には、上流側接続口２６から下流側接続口２８にかけてクランク状に通水路３０が形成されている。
また、このクランク状の通水路３０は、上流側接続口２６から水側脚部材２０の正面２０ａを貫くように延びる１次側通水路３０ａと、この１次側通水路３０ａの下流側から水側脚部材２０の正面２０ａ及び背面２０ｂとほぼ平行に延びて下流側接続口２８に通ずる２次側通水路３０ｂとを備えている。
【００１４】
さらに、１次側通水路３０ａの下流側には、調圧機能付き止水栓装置２の雌ねじ付き取付部３４が形成されており、調圧機能付き止水栓装置２の調圧弁ユニット２ｂの一部分が水側脚部材２０の正面２０ａ側から雌ねじ付き取付部３４に螺合されている。
調圧機能付き止水栓装置２が雌ねじ付き取付部３４の雌ねじ５２ａに螺合されて取り付けられた状態では、雌ねじ付き取付部３４の下流側端部（取付口）３４ａは、調圧機能付き止水栓装置２の保持部材３６によって覆われている。一方、雌ねじ付き取付部３４の上流側端部には、調圧機能付き止水栓装置２の止水口となる流入口３４ｂが形成され、この流入口３４ｂは、調圧機能付き止水栓装置２の止水弁ユニット２ａの止水弁３８によって開閉可能となっている。
なお、図３に示す調圧機能付き止水栓装置２では、止水弁３８が流入口３４ｂを開放して１次側通水路３０ａが通水され、調圧弁４２が流出口６０ｂを全開にし、調圧を行っていない状態を示している。
【００１５】
つぎに、本実施形態の水栓装置１における調圧機能付き止水栓装置２の詳細について説明する。
図３に示すように、本実施形態の調圧機能付き止水栓装置２は、雌ねじ付き取付部３４内の上流側に組み込まれて１次側通水路３０ａを止水状態と通水状態とに切り替える止水弁ユニット２ａと、雌ねじ付き取付部３４内の下流側において止水弁ユニット２ａと係合可能に組み込まれて１次側通水路３０ａが通水状態のときに２次側通水路３０ｂ内を調圧する調圧弁ユニット２ｂと、を備えている。
【００１６】
また、図４は、本実施形態の水栓装置１における調圧機能付き止水栓装置２について、止水弁ユニット２ａと調圧弁ユニット２ｂとの係合を外した状態を示す分解斜視図である。
図３及び図４に示すように、止水弁ユニット２ａは、第１スピンドル（第１回転軸部材）４６を含む止水弁３８によって構成されている。
調圧弁ユニット２ｂについては、雌ねじ付き取付部３４の上流側から下流側にかけて、中間部材４０、圧縮コイルばね４４ａ，４４ｂ、調圧弁４２、保持部材３６、第２スピンドル（第２回転軸部材）４８が組み込まれた構成となっている。
【００１７】
つぎに、図３及び図４を参照して、調圧機能付き止水栓装置２の止水弁ユニット２ａの詳細について説明する。
図３及び図４に示すように、止水弁ユニット２ａでは、止水弁３８の本体を形成する第１スピンドル４６が、その径方向に突出しかつ円周方向に間隔を置いて一体に形成された雄ねじ付き突起５４を備えている。この雄ねじ付き突起５４の外周面に形成された雄ねじ５４ａは、１次側通水路３０ａの壁面５０に形成された雌ねじ５２ｂに螺合されている。
また、第１スピンドル４６の上流側端部４６ａは、弁部材（シートパッキン）５６を備えており、第１スピンドル４６及び雄ねじ付き突起５４の回転に応じて、第１スピンドル４６と共にシートパッキン５６が１次側通水路３０ａに沿って第１スピンドル４６の軸方向に移動し、流入口３４ｂに対するシートパッキン５６の相対位置を変えることができるようになっている。流入口３４ｂは、弁部材（シートパッキン）５６の弁座となり、シートパッキン５６によって開閉可能になっている。
【００１８】
なお、図３では、止水弁３８のシートパッキン５６が流入口３４ｂを開放して１次側通水路３０ａを通水させている状態が示されている。
また、止水弁３８の第１スピンドル４６の下流側係合端部である嵌合凹部４６ｂは、調圧弁ユニット２ｂを雌ねじ付き取付部３４に螺合して取り付けた際、調圧弁ユニット２ｂの第２スピンドル４８の上流側係合端部であるキー状突起４８ａと係合されるようになっている（詳細は後述する）。
【００１９】
つぎに、調圧機能付き止水栓装置２の調圧弁ユニット２ｂの詳細について説明する。
図３及び図４に示すように、中間部材４０は、その下流側に位置する保持部材３６に一体的に組み込まれている。調圧弁ユニット２ｂを調圧機能付き止水栓装置本体である水側脚部材２０の雌ねじ付き取付部３４に螺合して取り付けた状態では、調圧弁ユニット２ｂの中間部材４０は、止水弁ユニット２ａ（止水弁３８）の下流側に配置されている。この中間部材４０の上流側端部の流入口６０ａから内部にかけて流路５８が形成されており、中間部材４０の外周部には、この流路５８の流出口６０ｂが形成されている。
さらに、この流出口６０ｂには、通水中に含まれるごみをろ過して流出口６０ｂ及び調圧用流入路６４におけるごみ噛みを防止するストレーナ６２が取り付けられている。
【００２０】
調圧弁４２は、中間部材４０の流出口６０ｂを開閉可能に覆うように設けられ、中間部材４０に対して第２スピンドル４８の軸方向に摺動可能になっている。この中間部材４０の流出口６０ｂは、調圧弁４２により開放された状態では、２次側通水路３０ｂと連通している。
【００２１】
中間部材４０と調圧弁４２との間には、ばね室４４が形成されている。このばね室４４内には、コイル平均径の異なる２つの圧縮コイルばね４４ａ，４４ｂが、互いのコイル中心軸線が同軸となるように配置されている。
これらの２つの圧縮コイルばね４４ａ，４４ｂは、予め所定の圧縮荷重（予荷重）を与えた状態で中間部材４０と調圧弁４２との間に嵌め込まれており、調圧弁４２から圧縮コイルばね４４ａ，４４ｂのコイル中心軸線方向に作用する圧縮荷重が所定値未満の場合には、これらの圧縮コイルばね４４ａ，４４ｂは、たわまないようになっている。
【００２２】
保持部材３６は、外周面に形成された雄ねじ３６ｃを備え、この雄ねじ３６ｃを雌ねじ付き取付部３４の雌ねじ５２ａに螺合させることにより、保持部材３６が調圧弁４２を正面側から覆うようにして雌ねじ付き取付部３４に固定されて、調圧弁４２を保持するようになっている。
また、保持部材３６の内面と調圧弁４２外面との間には、通水状態の２次側通水路３０ｂ内の水が流入可能な調圧用流入路６４が形成され、この調圧用流入路６４に流入した水の圧力に応じて、流出口６０ｂから流出する水の圧力を調圧弁４２が調整するようになっている。この調圧用流入路６４の下流側はシールパッキン６６によってシールされており、調圧用流入路６４内の水が外部（保持部材３６の正面３６ａ側）へ漏出しないようになっている。
【００２３】
図５は、本実施形態の水栓装置１における通水調圧時の調圧機能付き止水栓装置２を示す拡大断面図である。ここで、図５において、通水時の水の流れを矢印で示している。
図５に示すように、調圧時における調圧弁ユニット２ｂの調圧用流入路６４において、保持部材３６の背面３６ｂと対向する調圧弁４２の段部を形成する面は、調圧用流入路６４内の水圧の受圧面４２ａとなっており、この受圧面４２ａが受圧した水圧に応じて、調圧弁４２がばね室４４の圧縮コイルばね４４ａ，４４ｂを押圧して移動することによって、中間部材４０の流出口６０ｂの開度が調整されるようになっている。
なお、図５に示す調圧機能付き止水栓装置２では、止水弁３８が流入口３４ｂを開放して１次側通水路３０ａが通水され、調圧弁４２が流出口６０ｂの一部を閉鎖して調圧を行っている状態を示している。
【００２４】
また、図３及び図５に示すように、第２スピンドル４８は、正面側から背面側へ順に、保持部材３６、調圧弁４２、圧縮コイルばね４４ａ，４４ｂ、中間部材４０のすべての要素を貫いて延びように構成されている。調圧弁ユニット２ｂの保持部材３６を雌ねじ付き取付部３４に螺合して取り付けた状態では、第２スピンドル４８は、第１スピンドル４６と同軸に延び、第２スピンドル４８の上流側係合端部であるキー状突起４８ａは、止水弁ユニット２ａにおける止水弁３８の第１スピンドル４６の下流側係合端部である嵌合凹部４６ｂと係合されるように構成されている。
さらに、第２スピンドル４８の下流側端部４８ｂには、マイナスドライバー（図示せず）等の工具と嵌合可能なキー溝４８ｃが形成されている。この第２スピンドル４８の下流側端部４８ｂのキー溝４８ｃは、第２スピンドル４８を回転操作する回転操作部となっており、キー溝４８ｃにマイナスドライバー（図示せず）等の工具を嵌め込んで回すことにより、第２スピンドル４８を保持部材３６、調圧弁４２、圧縮コイルばね４４ａ，４４ｂ、中間部材４０に対して回転操作することができるようになっている。
【００２５】
さらに、ばね室４４は、第２スピンドル４８の外周面と調圧弁４２の内周面との間に形成される隙間４４ｃを介して大気開放されている。また、第２スピンドル４８と中間部材４０との間はシール部材４０ａでシールされ、上流側からの水が第２スピンドル４８と中間部材４０との間からばね室４４内に浸入しないようになっている。
また、第１スピンドル４６と第２スピンドル４８が係合されている状態では、第２スピンドル４８の回転操作部であるキー溝４８ｃを回転操作して第２スピンドル４８を回転させると、第１スピンドル４６が第２スピンドル４８と一体的に回転し、１次側通水路３０ａに沿って軸方向に移動されるようになっている。
【００２６】
つぎに、図６は、本実施形態の水栓装置１における止水時の調圧機能付き止水栓装置２を示す拡大断面図である。
図６に示すように、本実施形態では、湯水混合水栓装置本体４側の各部や、ストレーナ６２等の調圧弁ユニット２ｂの各部についてメンテナンスを行う際には、止水弁３８が流入口３４ｂを閉鎖するように、第２スピンドル４８の回転操作部であるキー溝４８ｃを回転させることにより、第１スピンドル４６を回転させると共に軸方向上流側に移動させて、１次側通水路３０ａを止水状態にするようになっている。
【００２７】
また、図７は、本実施形態の水栓装置１における止水時の調圧機能付き止水栓装置２を含む水側脚部材２０について、止水弁ユニット２ａが止水した状態で調圧弁ユニット２ｂのみ取り外した状態を示す断面図である。
図７に示すように、止水弁ユニット２ａの止水弁３８によって１次側通水路３０ａを止水した状態では、調圧弁ユニット２ｂの保持部材３６の雄ねじ３６ｃと雌ねじ付き取付部３４の雌ねじ５２ａとの螺合を解除するように保持部材３６を回転させると、止水弁ユニット２ａの止水弁３８が流入口３４ｂを閉鎖して１次側通水路３０ａを止水した状態にしたまま、調圧機能付き止水栓装置本体である水側脚部材２０から調圧弁ユニット２ｂのみを取り外すことができるようになっている。
さらに、取り外した状態の調圧弁ユニット２ｂを水側脚部材２０に再び組み込む際には、後述するように、調圧弁ユニット２ｂの保持部材３６の雄ねじ３６ｃと雌ねじ付き取付部３４の雌ねじ５２ａとが螺合するように保持部材３６を回転させることにより、調圧弁ユニット２ｂが水側脚部材２０に取り付けられ、調圧弁ユニット２ｂの第２スピンドル４８が止水弁ユニット２ａの第１スピンドル４６と容易に係合することができるようになっている。
【００２８】
図８は、止水弁ユニット２ａの第１スピンドル４６と調圧弁ユニット２ｂの第２スピンドル４８との係合関係を説明する、図４と同様な分解斜視図である。
図８に示すように、調圧弁ユニット２ｂの第２スピンドル４８の上流側係合端部には、第２スピンドル４８の軸方向に延びるキー状突起４８ａが形成されている。また、止水弁ユニット２ａの第１スピンドル４６の下流側係合端部には、このキー状突起４８ａを受け入れ可能にする嵌合凹部４６ｂが形成されている。
この嵌合凹部４６ｂは、第１スピンドル４６の軸方向に延び、かつ第２スピンドル４８のキー状突起４８ａをはさみ込む２つの突出部６８ａ，６８ｂにより形成されている。
【００２９】
さらに、これら２つの突出部６８ａ，６８ｂの各端面７０ａ，７０ｂは、互いに反対方向に傾斜した傾斜面を形成しており、調圧弁ユニット２ｂを調圧機能付き止水栓装置本体である水側脚部材２０の雌ねじ付き取付部３４に螺合させる際、図８中に示す矢印の回転方向に調圧弁ユニット２ｂ（保持部材３６）を回転させると、この回転と共に中間部材４０及び第２スピンドル４８が回転するようになっている。第２スピンドル４８のキー状突起４８ａの端面４８ｄが第１スピンドル４６の突出部６８ａ，６８ｂの傾斜面７０ａ，７０ｂに接触すると、この第２スピンドル４８のキー状突起４８ａが第１スピンドル４６の突出部６８ａ，６８ｂの傾斜面７０ａ，７０ｂに沿って摺動しながら突出部６８ａ，６８ｂの間に受け入れられる向きに自動的に回転されて、第２スピンドル４８のキー状突起４８ａと第１スピンドル４６の嵌合凹部４６ｂが嵌合するようになっている。
【００３０】
つぎに、上述した本発明の第１実施形態による調圧機能付き止水栓装置２を備えた水栓装置１の動作（作用）について説明する。
まず、図３に示すように、止水弁ユニット２ａの止水弁３８によって、流入口３４ｂが開放された状態では、流入口３４ｂから下流側の水側脚部材２０内に水が流れ込む。この流れ込んだ水は、１次側通水路３０ａ内の止水弁ユニット２ａを通過し、調圧弁ユニット２ｂの中間部材４０内の流路５８を通過し、流出口６０ｂに取り付けられたストレーナ６２を通過して、流出口６０ｂから２次側通水路３０ｂへ流出する。
【００３１】
また、通水状態の２次側通水路３０ｂ内の水は、下流側接続口２８（湯水混合水栓装置本体４の水側流入口８）から湯水混合水栓装置本体４内に流れ込み、この本体４内で湯側脚部材１８から流れ込んだ湯と混合される。この湯水混合水栓装置本体４内で湯水が混合される際、温度調節装置１４によって混合された湯水の温度が調整され、その後、吐水口１０またはシャワーホース１２へ送られて吐水される。
【００３２】
さらに、通水状態の２次側通水路３０ｂ内における水の一部は、保持部材３６の内面と調圧弁４２の外面との間に形成される調圧用流入路６４に流入し、調圧弁４２の受圧面４２ａによって水圧が受圧される。
２次側通水路３０ｂ内の水圧が所定値未満であり、調圧弁４２の受圧面４２ａで受圧した水圧も所定値未満である場合には、調圧弁４２から圧縮コイルばね４４ａ，４４ｂのコイル中心軸線方向に作用する圧縮荷重も所定値未満となり、圧縮コイルばね４４ａ，４４ｂはたわまず、調圧弁４２は全く移動せずに非調圧の状態となるため、中間部材４０の流出口６０ｂは全開状態となる（図３参照）。
【００３３】
一方、２次側通水路３０ｂ内の水圧が所定値以上となり、調圧弁４２の受圧面４２ａで受圧した圧力も所定値以上となった場合には、調圧弁４２から圧縮コイルばね４４ａ，４４ｂのコイル中心軸線方向に作用する圧縮荷重も所定値以上となり、圧縮コイルばね４４ａ，４４ｂがたわむと共に調圧弁４２が中間部材４０に向かって移動し、中間部材４０の流出口６０ｂは調圧弁４２によって一部閉鎖された状態となる（図５参照）。すなわち、調圧弁４２は、２次側通水路３０ｂ内の水圧が所定値未満になるように、中間部材４０の流出口６０ｂの開度を調整して２次側通水路３０ｂ内の調圧を行う。
一例として、本実施形態の調圧機能付き止水栓装置２を含む水側脚部材２０をサーモスタット混合栓に適用する場合には、２次側通水路３０ｂ内の水圧値が、０．１５〜０．２ＭＰａ程度になるように調圧されることが好ましい。
【００３４】
また、湯水混合水栓装置本体４側の各部や、ストレーナ６２等の調圧弁ユニット２ｂの各部についてメンテナンスを行う際には、まず、吐水口／シャワー切替装置１６によって水栓装置１の吐水口１０とシャワーホース１２を閉鎖する。つぎに、調圧機能付き止水栓装置２の止水弁ユニット２ａの止水弁３８が流入口３４ｂを閉鎖するように、第２スピンドル４８の回転操作部であるキー溝４８ｃを回転させて、第１スピンドル４６を回転させる。第１スピンドル４６が回転すると、１次側通水路３０ａの壁面５０に形成された雌ねじ５２ｂと第１スピンドル４６の雄ねじ付き突起５４の雄ねじ５４ａによって、第１スピンドル４６は、１次側通水路３０ａに沿って軸方向上流側に移動する。これにより、止水弁３８は、シートパッキン５６によって流入口３４ｂを閉鎖し、１次側通水路３０ａ及び２次側通水路３０ｂが止水状態となる（図６参照）。
なお、給水、給湯圧力が０．１５〜０．２ＭＰａ以上となる調圧域の圧力の場合には、調圧弁４２は流出口６０ｂを全閉させる位置まで移動する。
一方、給水、給湯圧力が０．１５〜０．２ＭＰａよりも低い非調圧域の圧力の場合には、調圧弁４２は流出口６０ｂを全開した状態のままである。
その後、調圧弁ユニット２ｂの保持部材３６の雄ねじ３６ｃと雌ねじ付き取付部３４の雌ねじ５２ａとの螺合を解除するように保持部材３６を回転させて、止水弁ユニット２ａの止水弁３８が１次側通水路３０ａを止水した状態にしたまま、調圧機能付き止水栓装置本体である水側脚部材２０から調圧弁ユニット２ｂのみを取り外す（図７参照）。
【００３５】
さらに、取り外した状態の調圧弁ユニット２ｂを調圧機能付き止水栓装置本体である水側脚部材２０に再び組み込む際には、調圧弁ユニット２ｂの保持部材３６の雄ねじ３６ｃと雌ねじ付き取付部３４の雌ねじ５２ａとが螺合するように保持部材３６を回転させて、調圧弁ユニット２ｂを水側脚部材２０の雌ねじ付き取付部３４に取り付ける。
また、保持部材３６の回転と共に中間部材４０及び第２スピンドル４８が回転し、第２スピンドル４８のキー状突起４８ａの端面４８ｄが第１スピンドル４６の突出部６８ａ，６８ｂの傾斜面７０ａ，７０ｂに接触すると、この第２スピンドル４８のキー状突起４８ａが第１スピンドル４６の突出部６８ａ，６８ｂの傾斜面７０ａ，７０ｂに沿って摺動しながら突出部６８ａ，６８ｂの間に受け入れられる向きに自動的に回転される。この結果、調圧弁ユニット２ｂの第２スピンドル４８の上流側係合端部であるキー状突起４８ａが止水弁ユニット２ａの第１スピンドル４６の下流側係合端部である嵌合凹部４６ｂに係合される。
【００３６】
また、止水状態の水側脚部材２０を再び通水状態に設定する場合には、止水弁３８が流入口３４ｂを開放するように、第２スピンドル４８の回転操作部であるキー溝４８ｃを回転させて、第１スピンドル４６を回転させる。第１スピンドル４６が回転すると、１次側通水路３０ａの壁面５０に形成された雌ねじ５２ｂと第１スピンドル４６の雄ねじ付き突起５４の雄ねじ５４ａによって、第１スピンドル４６は、１次側通水路３０ａに沿って軸方向下流側に移動する。これにより、流入口３４ｂが開放される（図３参照）。
【００３７】
上述した本発明の第１実施形態の調圧機能付き止水栓装置２を備えた水栓装置１によれば、湯水混合水栓装置本体４側の各部や、ストレーナ６２等の調圧弁ユニット２ｂの各部についてメンテナンスを行う際、調圧弁ユニット２ｂの第２スピンドル４８の回転操作部であるキー溝４８ｃを回転操作することにより、止水弁ユニット２ａの止水弁３８を閉鎖して、通水路３０を容易に止水することができる。また、止水弁ユニット２ａにより止水状態を保ちながら調圧弁ユニット２ｂのみを調圧機能付き止水栓装置本体である水側脚部材２０から容易に取り外すことができ、湯水混合水栓装置本体４側の各部や、ストレーナ６２等の調圧弁ユニット２ｂの各部についてメンテナンスを容易に行うことができる。
また、取り外した状態の調圧弁ユニット２ｂを調圧機能付き止水栓装置本体である水側脚部材２０に再び組み込む際には、調圧弁ユニット２ｂの保持部材３６の雄ねじ３６ｃと雌ねじ付き取付部３４の雌ねじ５２ａとが螺合するように保持部材３６を回転させるだけで、調圧弁ユニット２ｂを調圧機能付き止水栓装置本体である水側脚部材２０の雌ねじ付き取付部３４に容易に取り付けることができ、さらに、調圧弁ユニット２ｂの第２スピンドル４８と止水弁ユニット２ａの第１スピンドル４６とを容易に係合させることができる。
さらに、止水弁ユニット２ａが、調圧弁ユニット２ｂが通水状態の通水路３０内を正確に調圧することができ、湯水混合水栓装置本体４に供給される湯水の差圧を低減させることができるため、温度調節装置１４による湯水の温度調節を容易に行うことができる。
また、調圧弁ユニット２ｂによる調圧機能によって、止水弁ユニット２ａによる通水路３０の流量調整が不要となるため、止水弁ユニット２ａの流量調整不良による湯水の浪費を防ぐことができ、節水効果が得られる。
さらに、調圧機能付き止水栓装置２を高水圧地域で使用した場合でも、調圧弁ユニット２ｂによる調圧機能が流量を自動的に調整するため、止水時のウォーターハンマー作用を低減させることもできる。
【００３８】
なお、上述した本実施形態では、一例として、調圧機能付き止水栓装置２を湯水混合水栓装置１の湯側脚部材１８及び水側脚部材２０に適用させた形態について説明したが、このような形態に限定されず、湯側脚部材１８については、調圧機能を備えずに止水機能のみを備えた脚部材となるように構成し、水側脚部材２０のみに調圧機能付き止水栓装置２を適用させた形態であってもよい。また、このような形態とは逆に、湯側脚部材１８のみに調圧機能付き止水栓装置２を適用させてもよい。
【００３９】
つぎに、本発明の第２実施形態による調圧機能付き止水栓装置を備えた水栓装置について説明する。
図９は、本実施形態の水栓装置における通水調圧時の調圧機能付き止水栓装置を示す、図５と同様な拡大断面図であり、図１０は、本実施形態の水栓装置における止水時の調圧機能付き止水栓装置を示す、図９と同様な拡大断面図である。
ここで、図９及び図１０において、図５と同一の部分については同一の符号を付し、それらの説明は省略する。
【００４０】
図９及び図１０に示すように、本実施形態の水栓装置における調圧機能付き止水栓装置８０は、１次側通水路３０ａを止水状態と通水状態とに切り替える止水弁ユニット８０ａを備え、さらに、止水弁ユニット８０ａに係合可能に取り付けられ、かつ上述した第１実施形態の調圧弁ユニット２ｂと構成が同じである調圧弁ユニット８０ｂを備えている。
ここで、本実施形態の水栓装置における調圧機能付き止水栓装置８０の構成については、第１実施形態の水栓装置における調圧機能付き止水栓装置２の構成と止水栓ユニットの部分のみが異なっているため、以下、本実施形態の止水栓ユニット部分の構成についてのみ詳細に説明する。
図９及び図１０に示すように、止水弁ユニット８０ａは、第１スピンドル４６と、この第１スピンドル４６の上流側に取り付けられた止水弁装置８２とを備えている。
さらに、止水弁装置８２は、１次側通水路３０ａに取り付けられた止水弁装置本体８４と、この止水弁装置本体８４の上流側端部に止水口として形成された流入口８６と、この流入口８６に開閉可能に取り付けられた弁部材８８と、この弁部材８８を下流側から支持するように取り付けられ、止水弁装置本体８４に対して摺動可能に設けられた摺動支持部材９０とを備えている。
【００４１】
摺動支持部材９０は、環状に形成され、複数の開口９０ａが円周方向に間隔を置いて配置されており、第１スピンドル４６の上流側端部４６ａを受け入れ可能となっている。また、摺動支持部材９０と第１スピンドル４６との間には、流路９２が形成されている。
また、摺動支持部材９０の周面９４と止水弁装置本体８４との間には、圧縮コイルばね９６が設けられている。第１スピンドル４６を軸方向上流側へ前進させると、第１スピンドル４６の上流側端部４６ａが弁部材８８の下流側端面８８ａを上流側へ押し出して、流入口８６を開放し、摺動支持部材９０の開口９０ａを介して通水させるようになっている（図９参照）。この際、摺動支持部材９０も弁部材８８と共に上流側へ移動し、この摺動支持部材９０の下流側端部で半径方向に突出した突起９０ｂが圧縮コイルばね９６を圧縮するようになっている。
さらに、第２スピンドル４８の回転操作部であるキー溝４８ｃを回転操作して第１スピンドル４６を下流側へ後退させると、圧縮されていた圧縮コイルばね９６の反発力によって摺動支持部材９０が下流側に後退し、弁部材８８も同時に下流側へ移動し、流入口８６を閉鎖して止水するようになっている（図１０参照）。
【００４２】
上述した構成による本発明の第２実施形態の調圧機能付き止水栓装置８０を備えた水栓装置においては、弁部材８８と流入口８６との間が開放されて１次側通水路３０ａ及び２次側通水路３０ｂが通水されている状態では、摺動支持部材９０の突起９０ｂが圧縮コイルばね９６を圧縮している（図９参照）。
一方、調圧弁ユニット８０ｂについては、第１実施形態の調圧弁ユニット２ｂと同様に、２次側通水路３０ｂ内の水圧が所定値未満であり、受圧面４２ａで受圧した圧力も所定値未満である場合には、調圧弁４２から圧縮コイルばね４４ａ，４４ｂのコイル中心軸線方向に作用する圧縮荷重も所定値未満となり、圧縮コイルばね４４ａ，４４ｂはたわまず、調圧弁４２も移動せずに非調圧の状態となり、中間部材４０の流出口６０ｂは全開状態となる。
【００４３】
さらに、２次側通水路３０ｂ内の水圧が所定値以上となり、受圧面４２ａで受圧した圧力も所定値以上となった場合には、調圧弁４２から圧縮コイルばね４４ａ，４４ｂのコイル中心軸線方向に作用する圧縮荷重も所定値以上となり、圧縮コイルばね４４ａ，４４ｂがたわむと共に調圧弁４２が中間部材４０に向かって移動し、中間部材４０の流出口６０ｂは調圧弁４２によって一部閉鎖された状態となる（図９参照）。すなわち、調圧弁４２は、２次側通水路３０ｂ内の水圧が所定値未満になるように、中間部材４０の流出口６０ｂの開度を調整して２次側通水路３０ｂ内の調圧を行う。
【００４４】
また、湯水混合水栓装置本体４側の各部や、ストレーナ６２等の調圧弁ユニット８０ｂの各部についてメンテナンスを行う際には、１次側通水路３０ａ及び２次側通水路３０ｂを止水状態にするために、まず、吐水口／シャワー切替装置１６によって水栓装置１の吐水口１０とシャワーホース１２を閉鎖する。つぎに、調圧弁ユニット８０ｂの第２スピンドル４８の回転操作部であるキー溝４８ｃを所定方向（止水方向）に回転操作することにより、第１スピンドル４６の雄ねじ付き突起５４が調圧弁ユニット８０ｂの中間部材４０の上流側端面（流入口）６０ａに位置するまで第１スピンドル４６が軸方向下流側へ移動され、圧縮されていた圧縮コイルばね９６の復元力と１次側通水路３０ａの上流側からの水圧によって摺動支持部材９０及び弁部材８８が下流側へ移動して流入口８６を閉鎖する（図１０参照）。このとき、圧縮コイルばね９６は、摺動支持部材９０の突起９０ｂによる圧縮荷重がかからない状態となる。
なお、給水、給湯圧力が０．１５〜０．２ＭＰａ以上となる調圧域の圧力の場合には、調圧弁４２は流出口６０ｂを全閉させる位置まで移動する。
一方、給水、給湯圧力が０．１５〜０．２ＭＰａよりも低い非調圧域の圧力の場合には、調圧弁４２は流出口６０ｂを全開した状態のままである。
【００４５】
つぎに、弁部材８８が流入口８６を閉鎖している状態で、第１実施形態と同様に、調圧弁ユニット８０ｂの保持部材３６の雄ねじ３６ｃと雌ねじ付き取付部３４の雌ねじ５２ａとの螺合を解除するように保持部材３６を回転させて、止水弁ユニット２ａの弁部材８８が１次側通水路３０ａを止水した状態にしたまま、水側脚部材２０から調圧弁ユニット８０ｂのみを取り外す。
【００４６】
さらに、取り外した状態の調圧弁ユニット８０ｂを再び水側脚部材２０に組み込む際には、調圧弁ユニット８０ｂの保持部材３６の雄ねじ３６ｃと雌ねじ付き取付部３４の雌ねじ５２ａとが螺合するように保持部材３６を回転させて、調圧弁ユニット８０ｂを水側脚部材２０の雌ねじ付き取付部３４に取り付ける。
また、保持部材３６の回転と共に中間部材４０及び第２スピンドル４８が回転し、第２スピンドル４８のキー状突起４８ａの端面４８ｄが第１スピンドル４６の突出部６８ａ，６８ｂの傾斜面７０ａ，７０ｂに接触すると、この第２スピンドル４８のキー状突起４８ａが第１スピンドル４６の突出部６８ａ，６８ｂの傾斜面７０ａ，７０ｂに沿って摺動しながら突出部６８ａ，６８ｂの間に受け入れられる向きに自動的に回転される。この結果、調圧弁ユニット８０ｂの第２スピンドル４８の上流側係合端部であるキー状突起４８ａが止水弁ユニット８０ａの第１スピンドル４６の下流側係合端部である嵌合凹部４６ｂに係合される。
【００４７】
また、止水状態の水側脚部材２０を再び通水状態に設定する場合には、弁部材８８が流入口８６を開放するように、第２スピンドル４８の回転操作部であるキー溝４８ｃを回転させて、第１スピンドル４６を回転させる。第１スピンドル４６が回転すると、１次側通水路３０ａの壁面５０に形成された雌ねじ５２ｂと第１スピンドル４６の雄ねじ付き突起５４の雄ねじ５４ａによって、第１スピンドル４６は、１次側通水路３０ａに沿って軸方向上流側に移動し、弁部材８８を上流側へ押圧し、流入口８６が開放され、通水路３０が通水される（図９参照）。
【００４８】
上述した本発明の第２実施形態調圧機能付き止水栓装置を備えた水栓装置によれば、上述した第１実施形態の調圧機能付き止水栓装置１の作用効果と同様に、ストレーナ６２等の調圧弁ユニット８０ｂの各部についてメンテナンスを行う際、調圧弁ユニット８０ｂの第２スピンドル４８の回転操作部であるキー溝４８ｃを回転操作することにより、止水弁ユニット８０ａの弁部材８８によって流入口８６を閉鎖して、通水路３０を容易に止水することができる。また、止水弁ユニット８０ａにより止水状態を保ちながら調圧弁ユニット８０ｂのみを水側脚部材（止水栓装置本体）２０から容易に取り外すことができ、湯水混合水栓装置本体４側の各部や、ストレーナ６２等の調圧弁ユニット８０ｂの各部についてメンテナンスを容易に行うことができる。
また、取り外した状態の調圧弁ユニット８０ｂを再び水側脚部材（止水栓装置本体）２０に組み込む際には、調圧弁ユニット８０ｂの保持部材３６の雄ねじ３６ｃと雌ねじ付き取付部３４の雌ねじ５２ａとが螺合するように保持部材３６を回転させるだけで、調圧弁ユニット８０ｂを止水栓装置本体２０の雌ねじ付き取付部３４に容易に取り付けることができ、さらに、調圧弁ユニット８０ｂの第２スピンドル４８と止水弁ユニット８０ａの第１スピンドル４６とを容易に係合させることができる。
【００４９】
なお、上述した２つの実施形態では、調圧機能付き止水栓装置を適用した水栓装置の一例として、湯水混合水栓装置であるサーモスタット混合栓に適用した形態ついて説明したが、このような形態に限定されず、例えば、湯水混合水栓装置については、サーモスタット混合栓以外にも、吐水及び止水を切り替える開閉弁について湯側用と水側用を共用するシングルレバータイプの混合栓や、開閉弁を湯側用と水側用で別々に設けた２ハンドルタイプの混合栓等に適用してもよい。あるいは、単水栓等にも適用してもよい。
【図面の簡単な説明】
【００５０】
【図１】本発明の第１実施形態による調圧機能付き止水栓装置を備えた水栓装置を示す概略斜視図である。
【図２】本発明の第１実施形態による水栓装置における調圧機能付き止水栓装置を含む水側脚部材を示す正面図である。
【図３】図２に示す調圧機能付き止水栓装置を含む通水非調圧時の水側脚部材におけるＡ−Ａ側面断面図である。
【図４】本発明の第１実施形態による水栓装置における調圧機能付き止水栓装置について、調圧弁ユニットと止水弁ユニットとを分解した分解斜視図である。
【図５】本発明の第１実施形態の水栓装置における通水調圧時の調圧機能付き止水栓装置を示す拡大断面図である。
【図６】本発明の第１実施形態の水栓装置における止水時の調圧機能付き止水栓装置を示す拡大断面図である。
【図７】本発明の第１実施形態の水栓装置における止水時の調圧機能付き止水栓装置を含む水側脚部材について調圧弁ユニットのみ取り外した状態を示す断面図である。
【図８】本発明の第１実施形態の水栓装置における調圧機能付き止水栓装置の止水弁ユニットの第１スピンドルと調圧弁ユニットの第２スピンドルとの係合関係を説明する、図４と同様な分解斜視図である。
【図９】本発明の第２実施形態の水栓装置における通水調圧時の調圧機能付き止水栓装置を示す、図５と同様な拡大断面図である。
【図１０】本発明の第２実施形態の水栓装置における止水時の調圧機能付き止水栓装置を示す、図９と同様な拡大断面図である。
【符号の説明】
【００５１】
１  水栓装置（湯水混合水栓装置）
２，８０  調圧機能付き止水栓装置
２ａ  止水弁ユニット
２ｂ  調圧弁ユニット
４  湯水混合水栓装置本体
６  湯側流入口
８  水側流入口
１０  吐水口
１２  シャワーホース
１４  温度調節装置
１６  吐水口／シャワー切替装置
１８  湯側脚部材
２０  水側脚部材
２２  湯側通水路
２４  水側通水路
２６  水側脚部材の上流側接続口
２８  水側脚部材の下流側接続口
３０  水側脚部材の通水路
３０ａ  １次側通水路
３０ｂ  ２次側通水路
３４  調圧機能付き止水栓装置の雌ねじ付き取付部
３４ａ  調圧機能付き止水栓装置の取付口
３４ｂ  調圧機能付き止水栓装置の流入口
３６  保持部材
３６ａ  保持部材の正面
３６ｂ  保持部材の背面
３６ｃ  雄ねじ
３８  止水弁
４０  中間部材
４２  調圧弁
４２ａ  受圧面
４４  ばね室
４４ａ，４４ｂ  圧縮コイルばね
４６  第１スピンドル
４６ａ  第１スピンドルの上流側端部
４６ｂ  第１スピンドルの嵌合凹部
４８  第２スピンドル
４８ａ  第２スピンドルのキー状突起
４８ｂ  第２スピンドルの下流側端部
４８ｃ  キー溝
４８ｄ  キー状突起の端面
５０  １次側通水路の壁面
５２ａ，５２ｂ  雌ねじ
５４  雄ねじ付き突起
５４ａ  雄ねじ
５６  弁部材（シートパッキン）
５８  流路
６０ａ  中間部材の流入口
６０ｂ  中間部材の流出口
６２  ストレーナ
６４  調圧用流入路
６６  シールパッキン
６８ａ，６８ｂ  突出部
７０ａ，７０ｂ  傾斜端面
８２  止水弁装置
８４  止水弁装置本体
８６  止水弁装置の流入口
８８  弁部材
９０  摺動支持部材
９０ａ  開口
９０ｂ  突起
９２  流路
【図１】
2006226497.tif 000003
【図２】
2006226497.tif 000004
【図３】
2006226497.tif 000005
【図４】
2006226497.tif 000006
【図５】
2006226497.tif 000007
【図６】
2006226497.tif 000008
【図７】
2006226497.tif 000009
【図８】
2006226497.tif 000010
【図９】
2006226497.tif 000011
【図１０】
2006226497.tif 000012